(57)【要約】  本発明は、イメージデータディスプレイ装置及びディスプレイ方法に関する発明であって、本発明の実施によるイメージデータディスプレイ装置は、イメージデータをディスプレイするディスプレイ手段と、複数のイメージデータを所定の数に分けてグループ化してグループの代表イメージをディスプレイさせ、代表イメージが選択されれば該当するグループのイメージをディスプレイさせる制御手段と、ディスプレイされたイメージをナビゲーションして選択する入力を受信する入力部とを備える。
2007518163.tif 000002
【特許請求の範囲】
【請求項１】
イメージデータをディスプレイするディスプレイ手段と、
複数のイメージデータを所定の数に分けてグループ化して前記グループの代表イメージをディスプレイさせ、前記代表イメージが選択されれば該当するグループのイメージをディスプレイさせる制御手段と、
前記ディスプレイされたイメージをナビゲーションして選択する入力を受信する入力部と、を備えることを特徴とするイメージデータディスプレイ装置。
【請求項２】
前記制御手段は、前記選択された代表イメージが含まれたグループのイメージを所定の数に分けて再グループ化し、前記再グループ化されたグループの代表イメージをディスプレイさせることを特徴とする請求項１に記載のイメージデータディスプレイ装置。
【請求項３】
前記数は、ユーザが入力したグルーピング数であるか、既定の数であることを特徴とする請求項１に記載のイメージデータディスプレイ装置。
【請求項４】
前記代表イメージは、前記グループ化されたイメージデータのうち最初に生成されたものであるか、最後に生成されたイメージデータであることを特徴とする請求項１に記載のイメージデータディスプレイ装置。
【請求項５】
複数のイメージデータを所定の数に分けてグループ化する第１ステップと、
前記各グループの代表イメージを所定の基準により選択する第２ステップと、
前記代表イメージをディスプレイする第３ステップと、
前記ディスプレイされた代表イメージが選択されれば、該当グループのイメージをディスプレイする第４ステップと、を含むことを特徴とするイメージデータディスプレイ方法。
【請求項６】
前記該当グループのイメージを所定の数に分けて再グループ化し、前記再グループ化されたグループの代表イメージをディスプレイする第５ステップを含むことを特徴とする請求項５に記載のイメージデータディスプレイ方法。
【請求項７】
前記数は、ユーザが入力したグルーピング数であるか、既定の数であることを特徴とする請求項５に記載のイメージデータディスプレイ方法。
【請求項８】
前記代表イメージは、前記グループ化されたイメージデータのうち最初に生成されたものであるか、最後に生成されたイメージデータであることを特徴とする請求項５に記載のイメージデータディスプレイ方法。
【請求項９】
前記第４ステップは、前記ディスプレイされたイメージデータをナビゲーションするための４方向キーと、前記ディスプレイされたイメージデータのうち１個のイメージデータを処理するための機能ボタンを利用するステップを含む請求項５に記載のイメージデータディスプレイ方法。
【請求項１０】
前記機能ボタンは、前記ディスプレイされたイメージデータのうち１個のイメージデータを選択するための機能ボタンである請求項９に記載のイメージデータディスプレイ方法。
【発明の詳細な説明】
【技術分野】
【０００１】
本発明は、イメージデータディスプレイ装置及びディスプレイ方法に係り、より詳細には、ユーザがイメージディスプレイ装置を利用して複数のサムネールイメージのうちユーザが所望のイメージをさらに効率的に検索して管理可能にすることである。
【背景技術】
【０００２】
‘サムネールイメージ’とは、‘親指つめサイズのイメージ’という意味から由来したものであって、多量のイメージデータを迅速に検索するか、管理可能にするためにデータ量の多い原本イメージをデータの量がさらに小さなイメージで表したものをいう。例えば、ウィンドウズ（登録商標）ＸＰ運用体制でユーザがウィンドウズ（登録商標）探索器を利用して多様な形式のイメージデータを含んでいるホルダーを生成した後、前記ホルダー内でマウスの右側ボタンをクリックすれば‘表示’メニューが現れる。この時、ユーザが前記‘表示’メニューのうち‘一覧’を選択すれば、前記ホルダーにあるイメージファイルが小さなイメージとして現れるが、このようなイメージもサムネールイメージに該当する。ウィンドウズ（登録商標）ＸＰの場合には、このようなサムネールイメージを管理するための‘ｔｈｕｍｂｓ．ｄｂ’ファイルを生成する。
【０００３】
図１は、従来の方法によって複数のイメージファイルをユーザに提供するためのユーザインターフェースを示す例示図である。
【０００４】
この時、ユーザインターフェース１００は、多様な形態のイメージファイルをユーザが見られるようにディスプレイするディスプレイ領域１０６と、現在ディスプレイされているイメージファイルの順序情報を表しているページ情報領域１０２と、前記ディスプレイ領域１０６に現れていない他のイメージファイルを見るためのディスプレイ制御領域１０４と、を備える。この時、前記‘ページ’とは、連続的に羅列されたイメージファイルを所定の数に分けた時、分けられたそれぞれのグループを意味する。また、前記ユーザインターフェースは、イメージファイルをディスプレイできるパソコン、ＤＶＤプレーヤー、デジタルカメラ、携帯用端末機などで提供できる。
【０００５】
前記図１では、ディスプレイ装置または別途の保存装置に保存された３００個のイメージファイルを見るためのユーザインターフェースを例として挙げているが、もし、ディスプレイ領域１０６で最大６個のイメージをディスプレイできると仮定すれば、６個のイメージを一つのグループにグルーピングすることによって総５０個のページが必要であり、このような情報を表している領域がページ情報領域１０２である。すなわち、‘１／５０’で‘５０’は全体イメージファイルをディスプレイするための総ページ数を表し、‘１’は、総ページ数に対する現在ページ番号を表す。したがって、前記図１で図示したユーザインターフェース１００では、全体３００個のイメージファイルのうち最初のページに含まれるイメージ１ないしイメージ６をディスプレイしている。一方、ディスプレイ制御領域１０４は、ユーザが現在ディスプレイされていない他のイメージファイルを見るために、次のページまたは以前ページに移動するためのメニューを含んでいる。すなわち、前記図１に図示したように、ユーザが‘次の’項目を選択すれば、イメージ７ないしイメージ１２をディスプレイするための２番目のページが現れ、この時、前記ページ情報領域１０２の値も変更される。次いで、ユーザがユーザインターフェース１１０の‘次の’項目を選択すれば、イメージ１３ないしイメージ１８をディスプレイするための３番目のページを含むユーザインターフェース１２０が現れる。
【０００６】
しかし、前記のような従来の方法によれば、ユーザが特定のイメージファイルを探すか、以前に見たイメージから見ようとする時に最初のページから順次に検索せねばならないという不便さがある。例えば、図１でユーザが３００番目のイメージファイルを見るためには、最初のページから５０番目のページまで順次に移動せねばならない。すなわち、ユーザが順次に羅列されたイメージファイルのうち特定のイメージを選択し、選択されたイメージから見られる機能は提供していないので、イメージファイルが多ければ多いほどユーザは特定のイメージファイルを見るために長時間がかかるという問題点が発生する。
【発明の開示】
【発明が解決しようとする課題】
【０００７】
本発明は、前記した問題点に鑑みてなされたものであり、本発明では、複数のサムネールイメージを一定の数にグルーピングして所定のデータ構造を形成して、全体ファイルを簡単に一画面に示すことによってユーザがさらに迅速に所望のイメージを検索できる方法を提示している。
【課題を解決するための手段】
【０００８】
前記目的を達成するために、本発明の実施によるイメージデータディスプレイ装置は、イメージデータをディスプレイするディスプレイ手段と、複数のイメージデータを所定の数に分けてグループ化して前記グループの代表イメージをディスプレイさせ、前記代表イメージが選択されれば該当するグループのイメージをディスプレイさせる制御手段と、前記ディスプレイされたイメージをナビゲーションして選択する入力を受信する入力部と、を備えることを特徴とする。
【０００９】
望ましくは、前記制御手段は、前記選択された代表イメージが含まれたグループのイメージを所定の数に分けて再グループ化し、前記再グループ化されたグループの代表イメージをディスプレイさせることを特徴とする。
【００１０】
望ましくは、前記数は、ユーザが入力したグルーピング数であるか、既定の数であることを特徴とする。
【００１１】
望ましくは、前記代表イメージは、前記グループ化されたイメージデータのうち最初に生成されたものであるか、最後に生成されたイメージデータであることを特徴とする。
【００１２】
前記目的を達成するために、本発明の実施によるイメージデータディスプレイ方法は、複数のイメージデータを所定の数に分けてグループ化する第１ステップと、前記各グループの代表イメージを所定の基準により選択する第２ステップと、前記代表イメージをディスプレイする第３ステップと、前記ディスプレイされた代表イメージが選択されれば、該当グループのイメージをディスプレイする第４ステップと、を含むことを特徴とする。
【００１３】
望ましくは、前記該当グループのイメージを所定の数に分けて再グループ化し、前記再グループ化されたグループの代表イメージをディスプレイする第５ステップを含むことを特徴とする。
【００１４】
望ましくは、前記数は、ユーザが入力したグルーピング数であるか、既定の数であることを特徴とする。
【００１５】
望ましくは、前記代表イメージは、前記グループ化されたイメージデータのうち最初に生成されたものであるか、最後に生成されたイメージデータであることを特徴とする。
【００１６】
望ましくは、前記第４ステップは、前記ディスプレイされたイメージデータをナビゲーションするための４方向キーと、前記ディスプレイされたイメージデータのうち１個のイメージデータを処理するための機能ボタンを利用するステップを含むことを特徴とする。
【００１７】
望ましくは、前記機能ボタンは、前記ディスプレイされたイメージデータのうち１個のイメージデータを選択するための機能ボタンであることを特徴とする。
【発明の効果】
【００１８】
本発明の実施によって、ユーザは複数のサムネールイメージをさらに便利かつ迅速に検索できる。
【発明を実施するための最良の形態】
【００１９】
以下、添付された図面を参照して本発明の一実施形態によるイメージデータをディスプレイする装置及び方法を説明すれば、次の通りである。
【００２０】
一方、以下では、イメージデータをディスプレイできる装置または別途の記録媒体に順次に保存された３００個のサムネールイメージを例として説明し、前記サムネールイメージをディスプレイする装置は、ユーザインターフェースを通じて最大６個のイメージを提供できる装置とする。しかし、このような限定は発明をさらに容易に説明するためであり、画面に現れるイメージ数と保存されたサムネールイメージ数とは、前記ユーザインターフェースを提供する装置またはサムネールイメージを保存している記録媒体によって変わりうるが、本発明の技術的な思想は同一に適用できる。
【００２１】
図２は、本発明の実施によるサムネールイメージの論理的な階層構造を示す例示図である。
【００２２】
本発明では、サムネールイメージの論理的な階層構造を説明するために‘レベル’という概念を導入する。例えば、ユーザの選択または既定の値によってイメージデータをディスプレイする装置のディスプレイ領域に６個のイメージを現す場合には、順次に５０個のイメージを一つのグループに総６グループに分けることができる。この時、それぞれのグループの代表サムネールイメージは各グループに属するサムネールイメージのうち最も先行するサムネールイメージとすることができる。すなわち、総３００個のサムネールイメージを順次に６個のグループに分けた時、１番、５１番、１０１番、１５１番、２００番、２５１番サムネールイメージがそれぞれのグループの代表サムネールイメージとなりうる。この時、前記１番、５１番、１０１番、１５１番、２００番、２５１番サムネールイメージをレベル１に属するサムネールイメージと定義できる。
【００２３】
また、例えば、前記レベル１の最初のグループに属する５０個のサムネールイメージを６個のグループに分ける場合には、順次に１番、１０番、１９番、２８番、３７番、４６番サムネールイメージがそれぞれのグループの代表サムネールイメージになりうる。この時、前記１番、１０番、１９番、２８番、３７番、４６番サムネールイメージをレベル２に属するサムネールイメージと定義できる。
【００２４】
また、例えば、前記レベル２の最初のグループに属する９個のサムネールイメージをレベル３に属するサムネールイメージと定義できるが、このような場合には、一つの画面に最大６個のイメージが現れるために、総２ページにわたって前記９個のサムネールイメージが現れる。この時、前記レベル１を最上位レベルと称し、前記レベル３を最下位レベルと称する。
【００２５】
ここでは、レベルの数が３であるが、本発明の実施によるレベルの数はディスプレイできるサムネールイメージの数によって変わりうる。しかし、レベルを区分する方法は前記した方法と同一に適用できる。
【００２６】
図３ないし図６は、本発明の実施によって複数のイメージファイルをユーザに提供するためのユーザインターフェースを示す例示図である。
【００２７】
この時、ユーザインターフェース３００、３２０、３４０、３６０は、多様な形態のイメージファイルをユーザが見られるようにディスプレイするディスプレイ領域３０５、３２５、３４５、３６５と、現在ディスプレイされているイメージファイルのレベル情報を表しているレベル情報領域３１０、３３０、３５０、３７０と、最下位レベルでページ移動のためのページ制御領域３１５、３２５、３５５、３７５とを備える。この時、前記‘ページ’は、連続的に羅列されたイメージファイルを所定の数に分けた時、分けられたそれぞれのグループを意味する。また、前記ユーザインターフェースはイメージファイルをディスプレイできるパソコン、ＤＶＤプレーヤー、デジタルカメラ、携帯用端末機などから提供されうる。
【００２８】
前記図３ないし図６に図示されたディスプレイ領域３０５、３２５、３４５、３６５には、最大６個のサムネールイメージがディスプレイされうるが、この時、前記図３でディスプレイされるサムネールイメージは、前記図２で図示したレベル１に属するサムネールイメージである。この時、レベル情報領域３１０では‘１／３’のように現れているが、総レベルに対する現在レベルを表す。すなわち、総レベルの数は３であるが、現在ディスプレイされているサムネールイメージのレベルは１ということを意味する。また、前記６個のサムネールイメージのうち活性化されたサムネールイメージはハイライトで表すことができるが、図３では、‘イメージ１’が活性化されたことを表している。一方、他のサムネールイメージを活性化するか、活性化されたサムネールイメージを選択するためのファンクションキーまたは機能ボタンは、前記図３のようなユーザインターフェースを提供する装置に付着できる。
【００２９】
もし、ユーザが図３で‘イメージ１’を選択すれば、図４のようなユーザインターフェースが現れる。この時、ディスプレイ領域３２５には、前記図２で図示したレベル２に属するサムネールイメージがディスプレイされる。また、レベル情報領域には‘２／３’と現れるが、これは、現在ディスプレイされているサムネールイメージのレベルがレベル２であることを表す。
【００３０】
もし、ユーザが前記図４で‘イメージ１’を選択すれば、図５のようなユーザインターフェースが現れる。このような場合には、最下位レベルであるレベル３に属する‘イメージ１’ないし‘イメージ９’に該当するサムネールイメージが現れるが、本発明による実施例では、一回に最大６個のサムネールイメージを見られるものとしたので、‘イメージ１’から‘イメージ６’までは前記図５のような形態に、そして、‘イメージ７’から‘イメージ９’までは図６のような形態にディスプレイできる。この時、レベル情報領域３５０、３７０にはそれぞれ‘３（１）／３’、‘３（２）／３’のように現れるが、括弧の中に表示される数字は該当最下位レベルでのページ数を表し、ページ制御領域３５５、３７５はページ移動のために提供される。レベル３でこれ以上レベルを区分しない理由は、３６個以下のサムネールを連続的に探すとしても、ユーザの側面では不便でないためである。すなわち、Ｎ個のサムネールイメージをディスプレイする場合、または、Ｎ個のサムネールイメージをグループとする場合には、Ｎを自乗した値以下になるまでレベルを分け、最後のレベルは連続的なページで表すことができる。
【００３１】
図７ないし図８は、本発明の実施によるマウスを使用するパソコン環境での一実施形態を示す例示図である。
【００３２】
前記図７では、特定のサムネールイメージ（ここでは‘イメージ１’）に対してマウスの左側ボタンをクリックすることによって拡大されたサムネールイメージを見ることができる。また、前記図８では、特定のサムネールイメージ（ここでは‘イメージ１’）に対してマウスの右側ボタンをクリックすれば、前記クリックされたサムネールイメージを編集するか、下位または上位レベルに移動できるメニューが現れる。もし、ユーザが‘レベルダウン’を選択すればレベル２に属するサムネールイメージをディスプレイする。
【００３３】
図９ないし図１０は、本発明の実施によるマウスを使用するパソコン環境でのさらに他の一実施形態を示す例示図である。
【００３４】
前記図９では、前記図７のようにマウスの左側ボタンをクリックすることによって拡大されたサムネールイメージを見ることができるが、前記図９では、ディスプレイ領域の下段に選択されたサムネールイメージを処理するためのメニュー項目領域を具備している。例えば、ハイライトされるサムネールイメージの移動のための４方向キー、サムネールイメージを画面全体にディスプレイさせる‘エンター’キー、上位レベルに移動するための‘リターン’キー、下位レベルに移動するための‘ズーム’キーのようなメニューを具備できる。前記図１０も前記メニュー項目領域を含んでいるユーザインターフェースを表しており、マウスを利用した他の動作過程は前記図８に図示した方法と同一に適用される。
【００３５】
図１１は、本発明の実施によるデジタルカメラでの一実施形態を示す例示図である。前記図１１では、デジタルカメラのディスプレイ領域が現れる面にズーム、リターン、エンターのような機能ボタンと前記図８、図１０のようにマウスの右側ボタンをクリックした時に現れる項目を表すためのメニューボタンを具備している。
【００３６】
図１２は、本発明の実施によるＤＶＤプレーヤーでの一実施形態を示す例示図である。前記図１２のようにＤＶＤプレーヤーを制御するためのリモコンに前記図１１の機能ボタン及びメニューボタンを具備できる。
【００３７】
図１３は、本発明の実施による複数のサムネールイメージのデータ構造を表す例示図であり、図１４は、前記図１３で図示したデータ構造によってユーザインターフェースでディスプレイされるサムネールイメージを示す例示図である。
【００３８】
前記図１３ではツリー構造を表しているが、前記ツリー構造は、サムネールイメージをディスプレイする画面に６個のサムネールイメージを表示すると仮定した時の構造を表している。ｎ個のサムネールイメージが存在する場合に６個のグループに分けてそれぞれのグループのうち代表サムネールイメージを前記画面に表示する。この時、前記６個のグループの代表サムネールイメージの集いを本発明では一つのレベルと称すると前述した。それぞれのグループは、再び６個のグループに分割して同じ方法で表すことができるが、このような方法でグループを形成する基準値は、画面で提供できるサムネールイメージ数の自乗である。すなわち、前記例でグルーピングの対象になるサムネールイメージの数が６の自乗である３６以下である時には、これ以上グループを形成せずに１段階下位レベルでページ当り６個ずつディスプレイする。
【００３９】
一方、全体サムネールイメージのうちＮ番目のサムネールイメージを探す場合、従来の方法によれば、Ｎ／６が整数である場合は（Ｎ／６）番、Ｎ／６が実数である場合は（［Ｎ／６］＋１）個のページを確認せねばならない（ただし、［］はＧａｕｓｓ記号である）。しかし、本発明の実施によれば、最小１個から最大（レベル深さ＋５）のページのみ確認すればよい。この時、前記レベル深さは、Ｎを６で割った値が３６以下になるまで連続して割った数に１を足したものである。例えば、Ｎが３００である場合にレベル深さは３になる。
【００４０】
したがって、Ｎが大きくなれば大きくなるほど、本発明の実施による方法を利用すれば、さらに迅速に特定のサムネールイメージを検索できる。例えば、総サムネールイメージの数が３００であり、３００番目のサムネールイメージを見るためには、従来の方法によれば５０個のページを確認せねばならないが、本発明の実施による方法によれば３個のページのみ確認すればよい。
【００４１】
図１５は、本発明の実施によるレベル深さ及び最下位レベルでページ数を計算する一実施形態のフローチャートである。
【００４２】
ユーザが複数の連続したサムネールイメージを見るためのアプリケーションを実行させれば（Ｓ９００）、前記アプリケーションは連続的に保存されている前記サムネールイメージを別途の論理的なデータ構造形態に変換する。この時、本発明の実施例では、前記データ構造をツリー構造の形態に表しているが、そのためには、ツリー構造の深さに該当するレベル深さ及び最下位レベルでサムネールイメージをディスプレイするためのページの数を計算する必要がある。
【００４３】
まず、レベル深さに該当する変数を０に初期化した後（Ｓ９０５）、全体サムネールイメージファイルの数を６で割る（Ｓ９１０）。この時、残りの発生如何を検査し（Ｓ９１５）、残りが発生する場合には前記Ｓ９１０ステップで計算された分に１を加算した後（Ｓ９２０）、その値が３６より大きいかどうかを検査する（Ｓ９２５）。もし、前記Ｓ９１５ステップで残りがない場合には、前記Ｓ９１０ステップで計算された分が３６より大きいかどうかを検査する（Ｓ９２５）。
【００４４】
前記Ｓ９２５ステップで分が３６より大きい場合には、レベル深さの値を１増加させ（Ｓ９３０）、前記分を該当レベルのグループ単位、すなわち、一つのグループに属するサムネールイメージの数とする（Ｓ９３５）。次いで、前記分を６で割った後（Ｓ９４０）、前記Ｓ９１５ステップを反復する。一方、前記Ｓ９２５ステップで分が３６より大きくない場合にはレベル深さの値を１増加させ（Ｓ９４５）、前記分を６で割る（Ｓ９５０）。この時の分を前記Ｓ９２５ステップでの分と区別するために図１５では‘分＿２’と表す。
【００４５】
前記Ｓ９５０ステップで残りが存在していない場合には、前記分＿２を最下位レベルの最大ページ数と指定し（Ｓ９５５、Ｓ９６０）、残りが存在する場合には前記（分＿２＋１）を最下位レベルの最大ページ数と指定する（Ｓ９５５、Ｓ９６５）。
【００４６】
結局、レベル深さは前記Ｓ９５０ステップで決定され、最下位レベルでの最大ページ数は前記Ｓ９６０ステップまたは前記Ｓ９６５ステップで決定される。
【００４７】
前記図１５で図示した方法によりレベル深さ及びページの数が計算されれば、前記アプリケーションはサムネールイメージに対するツリー構造を形成でき、前記ツリー構造を利用してユーザの所望のサムネールイメージを迅速に提供できる。
【００４８】
一方、前記図１５で図示したフローチャートは、一画面にディスプレイできるサムネールイメージの数が６である場合を例示している。もし、一画面にＸ個のサムネールイメージをディスプレイできるならば、割る数は６ではなくＸになり、グルーピングの判断基準は３６ではなくＸの自乗となる。
【００４９】
以上で説明した本発明は、当業者により本発明の技術的思想を逸脱しない範囲内で色々な置換、変形及び変更が可能であるので、実施形態及び添付した図面に限定されるものではない。
【図面の簡単な説明】
【００５０】
【図１】従来の方法によって複数のイメージファイルをユーザに提供するためのユーザインターフェースを示す例示図である。
【図２】本発明の実施によるサムネールイメージの論理的な階層構造を示す例示図である。
【図３】本発明の実施によって複数のイメージファイルをユーザに提供するためのユーザインターフェースを示す例示図である。
【図４】本発明の実施によって複数のイメージファイルをユーザに提供するためのユーザインターフェースを示す例示図である。
【図５】本発明の実施によって複数のイメージファイルをユーザに提供するためのユーザインターフェースを示す例示図である。
【図６】本発明の実施によって複数のイメージファイルをユーザに提供するためのユーザインターフェースを示す例示図である。
【図７】本発明の実施によるマウスを使用するパソコン環境での一実施形態を示す例示図である。
【図８】本発明の実施によるマウスを使用するパソコン環境での一実施形態を示す例示図である。
【図９】本発明の実施によるマウスを使用するパソコン環境でのさらに他の一実施形態を示す例示図である。
【図１０】本発明の実施によるマウスを使用するパソコン環境でのさらに他の一実施形態を示す例示図である。
【図１１】本発明の実施によるデジタルカメラでの一実施形態を示す例示図である。
【図１２】本発明の実施によるＤＶＤプレーヤーでの一実施形態を示す例示図である。
【図１３】本発明の実施による複数のサムネールイメージのデータ構造を示す例示図である。
【図１４】前記図１３で図示したデータ構造によってユーザインターフェースでディスプレイされるサムネールイメージを示す例示図である。
【図１５】本発明の実施によるレベル深さ及び最下位レベルでページ数を計算する一実施形態のフローチャートである。
【図１】
2007518163.tif 000003
【図２】
2007518163.tif 000004
【図３】
2007518163.tif 000005
【図４】
2007518163.tif 000006
【図５】
2007518163.tif 000007
【図６】
2007518163.tif 000008
【図７】
2007518163.tif 000009
【図８】
2007518163.tif 000010
【図９】
2007518163.tif 000011
【図１０】
2007518163.tif 000012
【図１１】
2007518163.tif 000013
【図１２】
2007518163.tif 000014
【図１３】
2007518163.tif 000015
【図１４】
2007518163.tif 000016
【図１５】
2007518163.tif 000017
【国際調査報告】
2007518163.tif 000018